(57)【要約】【課題】  熱可塑性合成樹脂薄フィルムを上面開口容器に装着するにあたり、接着剤、係合片等を用いることなく、熱可塑性合成樹脂フィルムを直接、上面開口容器に装着することができる宙吊り物品収納フィルムを提供すること。【解決手段】  複数の物品収納凹部２が塑性変形により形成された熱可塑性合成樹脂薄フィルムの平坦部１’の外周に、平坦部１’の周縁から当該フィルムを裏面内側方向に入り込ませて周方向溝部３を平坦部１’の裏面１ｂ側の全周に亘り塑性変形により形成し、かつ、周方向溝部３の平坦部１’とは反対側の周縁に、外方向に延出する周方向延出部３’を周方向溝部に引き続いて、周方向溝部の全周に亘り塑性変形により形成することにより、宙吊り物品収納フィルム１Ａを構成する。【選択図】  図５
2019094091.tif 000002
【特許請求の範囲】
【請求項１】
表面に平坦部を介して複数の物品収納凹部が塑性変形により形成された熱可塑性合成樹脂薄フィルムによる宙吊り物品収納フィルムであって、
上記熱可塑性合成樹脂薄フィルムの上記平坦部の外周において、上記平坦部の周縁から上記熱可塑性合成樹脂薄フィルムが裏面内側方向に入り込むことにより周方向溝部が、上記平坦部の裏面側の周囲に塑性変形により形成され、
かつ、上記周方向溝部の上記平坦部とは反対側の周縁には外方向に延出する周方向延出部が上記周方向溝部に引き続いて、上記周方向溝部の周囲に、塑性変形により形成されているものである宙吊り物品収納フィルム。
【請求項２】
上面の開口部に外周方向に突出する周方向突出部が形成された上面開口容器に、請求項１記載の宙吊り物品収納フィルムが被覆されることにより形成される宙吊り物品収納容器であって、
上記宙吊り物品収納フィルムの上記周方向溝部が上記上面開口容器の上記周方向突出部に周方向に嵌合されることにより、上記宙吊り物品収納フィルムが上記上面開口容器の上記開口部を閉鎖するように張設され、
かかる張設状態において、上記物品収納凹部に物品を宙吊り状態で収納し得る請求項１記載の宙吊り物品収納フィルムを使用した宙吊り物品収納容器。
【請求項３】
表面に平坦部を介して複数の物品収納凹部が塑性変形により形成された熱可塑性合成樹脂薄フィルムによる四角形状の宙吊り物品収納フィルムであって、
上記熱可塑性合成樹脂薄フィルムの上記平坦部の四隅の各々に上記平坦部を介して係合用小凹部が塑性変形により形成されており、
上記係合用小凹部は、上記平坦部の表面側又は裏面側に凹設されているものである宙吊り物品収納フィルム。
【請求項４】
上記係合用小凹部は、上記宙吊り物品収納フィルムの四隅のコーナ部を二等分する直線に直交する方向に形成されているものである請求項３記載の宙吊り物品収納フィルム。
【請求項５】
上面の開口部に外周方向に突出する周方向突出部が形成された上面開口容器に、請求項３又は４記載の宙吊り物品収納フィルムが被覆されることにより形成される宙吊り物品収納容器であって、
上記宙吊り物品収納フィルムの上記係合用小凹部が上記上面開口容器の上記周方向突出部の四隅のコーナ部に各々嵌合されることにより、上記宙吊り物品収納フィルムが上記上面開口容器の上記開口部を閉鎖するように張設され、
かかる張設状態において、上記物品収納凹部に物品を宙吊り状態で収納し得る請求項３又は４記載の宙吊り物品収納フィルムを使用した宙吊り物品収納容器。
【請求項６】
表面に平坦部を介して複数の物品収納凹部が塑性変形により形成された熱可塑性合成樹脂薄フィルムによる四角形状の宙吊り物品収納フィルムであって、
上記熱可塑性合成樹脂薄フィルムの上記平坦部の対向する二辺の縁部に沿って上記平坦部を介して係合用細溝状凹部が塑性変形により形成されており、
上記係合用細溝状凹部は、上記平坦部の表面側又は裏面側に凹設されているものである宙吊り物品収納フィルム。
【請求項７】
上面の開口部に外周方向に突出する周方向突出部が形成された上面開口容器に、請求項６記載の宙吊り物品収納フィルムが被覆されることにより形成される宙吊り物品収納容器であって、
上記宙吊り物品収納フィルムの上記係合用細溝状凹部が、上記上面開口容器の対応する上記周方向突出部の二辺に各々嵌合されることにより、上記宙吊り物品収納フィルムが上記上面開口容器の上記開口部を閉鎖するように張設され、
かかる張設状態において、上記物品収納凹部に物品を宙吊り状態で収納し得る請求項６記載の宙吊り物品収納フィルムを使用した宙吊り物品収納容器。
【請求項８】
上記上面開口容器は硬質合成樹脂製、ダンボール製又はパルプモウルド製である請求項２，５，７の何れかに記載の宙吊り物品収納容器。
【発明の詳細な説明】
【技術分野】
【０００１】
本発明は、例えば苺等の果実その他の物品を宙吊り収納し得る宙吊り物品収納フィルム及びそれを使用した宙吊り物品収納容器に関するものである。
【背景技術】
【０００２】
従来、苺等の果実を宙吊り収納する果実収納容器が実用化されている。この種の果実収納容器は、熱可塑性合成樹脂薄フィルムの表面に複数の凹部を塑性変形により形成すると共に、当該薄フィルムの周辺に係合用折曲部を形成し、一方、当該薄フィルムを被覆するための方形枠を設け、上記方形枠に上記薄フィルムを被せると共に上記係合用折曲部と上記方形枠とを接着し、この薄フィルムが装着された方形枠を上面開口収納箱に収納し、その状態で、上記薄フィルムの上記凹部に果実を宙吊り収納する構成であった（特許文献１、図２０参照）。
【０００３】
或いは、果実容器の上面に凹部が塑性変形により成型された熱可塑性合成樹脂薄フィルムの周辺を果実収納容器の上面開口縁部に接着剤により接着するか（特許文献１、図１５参照）、或いは、上記薄フィルムの周縁に硬質素材による嵌合枠を接着し、上記嵌合枠を上記果実容器の上面開口縁部に嵌合することにより、上記果実容器の上面に上記薄フィルムを装着していた（特許文献１、図１７参照）。
【０００４】
又は、凹部が塑性変形により成型された熱可塑性合成樹脂薄フィルムの対向辺に、硬質素材による係合片を接着し、上記係合片を回動させて果実収納容器の周辺に係合することにより、上記薄フィルムを上記果実容器の上面に装着する構成であった（特許文献２）。
【先行技術文献】
【特許文献】
【０００５】
【特許文献１】特開２０１１−１０２１５２号公報
【特許文献２】特開２０１２−２５４３３号公報
【発明の概要】
【発明が解決しようとする課題】
【０００６】
ところで、上記果実容器は、例えば農家、卸売店、或いは、農協の支部等において、現場の作業者が上記熱可塑性合成樹脂薄フィルムを含む上記果実収納容器を組み立てた上で、果実を収納し、その後、小売店等に出荷されるため、果実容器はできるだけ簡単、迅速に組み立てができることが望まれている。
【０００７】
しかしながら、上記特許文献１の図２０等に記載の従来容器は、まずは熱可塑性合成樹脂薄フィルムを方形枠に被せて接着剤にて方形枠に接着した後、当該薄フィルム付の方形枠を果実収納箱にセッティングするという作業が必要であり、果実容器の組み立ての作業工程数が多く、効率が悪いという課題がある。
【０００８】
また、上記薄フィルム用の専用の方形枠が必要であると同時に、上記方形枠が嵌合する専用の果実収納箱が必要となり、何れも専用に設計する必要があるから、包装材がコスト高になるという課題もある。
【０００９】
特許文献１の図１５、図１７の果実収納容器においては、熱可塑性合成樹脂薄フィルムの縁を直接果実容器の上面の縁に接着剤で接着するか、或いは、上記薄フィルムの周縁に上記嵌合枠を接着剤で接着し、その後、果実容器に嵌合する、という作業が必要であり、作業効率が悪いし、接着剤の食品に対する安全性の問題もある。また、同様に、嵌合枠、果実容器を専用に設計する必要があり、上記と同様の課題がある。
【００１０】
さらに特許文献２の果実容器では、熱可塑性合成樹脂薄フィルムの２辺に硬質素材による係合片を接着する必要があるし、下側の果実容器においても、上記係合片が係合し得る専用の被係合部が必要となり、専用の果実容器を独自に設計する必要がある。
【００１１】
本発明は上記従来の課題に鑑みてなされたものであり、熱可塑性合成樹脂薄フィルムを物品収納容器に装着するにあたり、接着剤は勿論、熱可塑性合成樹脂薄フィルム側に接着する硬質部材による係合片、方形枠等を用いることなく、熱可塑性合成樹脂薄フィルムを直接、上面開口容器に装着することにより宙吊り物品収納容器を構成することができる宙吊り物品収納フィルム及び宙吊り物品収納容器を提供することを目的とする。
【課題を解決するための手段】
【００１２】
上記の目的を達成するため本発明は、
第１に、表面に平坦部を介して複数の物品収納凹部が塑性変形により形成された熱可塑性合成樹脂薄フィルムによる宙吊り物品収納フィルムであって、上記熱可塑性合成樹脂薄フィルムの上記平坦部の外周において、上記平坦部の周縁から上記熱可塑性合成樹脂薄フィルムが裏面内側方向に入り込むことにより周方向溝部が、上記平坦部の裏面側の周囲に塑性変形により形成され、かつ、上記周方向溝部の上記平坦部とは反対側の周縁には外方向に延出する周方向延出部が上記周方向溝部に引き続いて、上記周方向溝部の周囲に、塑性変形により形成されているものである宙吊り物品収納フィルムにより構成される。
【００１３】
上記物品収納凹部は例えば果実収納凹部（２）により構成することができる。この宙吊り物品収納フィルムは、その平坦部の周囲に周方向溝部が形成されているので、例えば、上記宙吊り物品収納フィルムの上記平坦部より若干面積の大きい周方向突出部を有する汎用の上面開口容器であれば、当該フィルムを上記上面開口容器の上面開口部に宛がい、当該フィルムを若干伸長させながら、上記フィルムの周方向溝部を上記上面開口容器の周方向突出部に係合させることにより、当該宙吊り物品収納フィルムを上面開口容器の上面開口部に張設して宙吊り物品収納容器を形成することができる。そして、宙吊り物品収納フィルムの物品収納凹部に例えば果実を収納することにより、上面開口容器において果実を宙吊り状態で収納支持することができる。
【００１４】
第２に、上面の開口部に外周方向に突出する周方向突出部が形成された上面開口容器に、上記第１記載の宙吊り物品収納フィルムが被覆されることにより形成される宙吊り物品収納容器であって、上記宙吊り物品収納フィルムの上記周方向溝部が上記上面開口容器の上記周方向突出部に周方向に嵌合されることにより、上記宙吊り物品収納フィルムが上記上面開口容器の上記開口部を閉鎖するように張設され、かかる張設状態において、上記物品収納凹部に物品を宙吊り状態で収納し得る上記第１記載の宙吊り物品収納フィルムを使用した宙吊り物品収納容器により構成される。
【００１５】
このように構成すると、上面開口容器の上面の開口部の周方向突出部に宙吊り物品収納フィルムの周方向溝部を嵌合するだけで、上面開口容器の上面の開口部に宙吊り物品収納フィルムを張設することができ、極めて簡単に宙吊り物品収納容器を構成することができる。
【００１６】
第３に、表面に平坦部を介して複数の物品収納凹部が塑性変形により形成された熱可塑性合成樹脂薄フィルムによる四角形状の宙吊り物品収納フィルムであって、上記熱可塑性合成樹脂薄フィルムの上記平坦部の四隅の各々に上記平坦部を介して係合用小凹部が塑性変形により形成されており、上記係合用小凹部は、上記平坦部の表面側又は裏面側に凹設されているものである宙吊り物品収納フィルムにより構成される。
【００１７】
上記物品収納凹部は例えば果実収納凹部（２）により構成することができる。この宙吊り物品収納フィルムは、そのフィルムの四隅に係合用小凹部が形成されているので、例えば上記宙吊り物品収納フィルムの上記４か所の係合用小凹部を結ぶ四角形よりも面積の大きい周方向突出部を有する汎用の上面開口容器であれば、当該フィルムを上記上面開口容器の上面の開口部に宛がい、当該フィルムを若干伸長させながら、各係合用小凹部を上記上面開口容器の四隅のコーナ部に嵌合させれば、当該宙吊り物品収納フィルムを上面開口容器の上面の開口部に張設して宙吊り物品収納容器を形成することができる。そして、宙吊り物品収納フィルムの物品収納凹部に例えば果実を収納することにより、上面開口容器において果実を宙吊り状態で収納支持することができる。
【００１８】
第４に、上記係合用小凹部は、上記宙吊り物品収納フィルムの四隅のコーナ部を二等分する直線に直交する方向に形成されているものである上記第３記載の宙吊り物品収納フィルムにより構成される。
【００１９】
このように構成すると、宙吊り物品収納フィルムの各係合用小凹部を上面開口容器の周方向突出部のコーナ部に容易、確実に係合させることができる。
【００２０】
第５に、外周方向に突出する周方向突出部が開口部の周囲に形成された上面開口容器に、上記第３又は４記載の宙吊り物品収納フィルムが被覆されることにより形成される宙吊り物品収納容器であって、上記宙吊り物品収納フィルムの上記係合用小凹部が上記上面開口容器の上記周方向突出部の四隅のコーナ部に各々嵌合されることにより、上記宙吊り物品収納フィルムが上記上面開口容器の上記開口部を閉鎖するように張設され、かかる張設状態において、上記物品収納凹部に物品を宙吊り状態で収納し得る上記第３又は４記載の宙吊り物品収納フィルムを使用した宙吊り物品収納容器により構成される。
【００２１】
このように構成すると、上面開口容器の上面の開口部の周方向突出部のコーナ部に宙吊り物品収納フィルムの係合用小凹部を嵌合するだけで、上面開口容器の開口部に宙吊り物品収納フィルムを張設することができ、極めて簡単に宙吊り物品収納容器を構成することができる。
【００２２】
第６に、表面に平坦部を介して複数の物品収納凹部が塑性変形により形成された熱可塑性合成樹脂薄フィルムによる四角形状の宙吊り物品収納フィルムであって、上記熱可塑性合成樹脂薄フィルムの上記平坦部の対向する二辺の縁部に沿って上記平坦部を介して係合用細溝状凹部が塑性変形により形成されており、上記係合用細溝状凹部は、上記平坦部の表面側又は裏面側に凹設されているものである宙吊り物品収納フィルムにより構成される。
【００２３】
上記物品収納凹部は例えば果実収納凹部（２）により構成することができる。この宙吊り物品収納フィルムは、そのフィルムの対向する二辺に係合用細溝状凹部が形成されているので、例えば上記宙吊り物品収納フィルムの上記両係合用細溝状凹部間の距離よりも、対向二辺の距離が若干大きい二辺を有する汎用の上面開口容器であれば、当該フィルムを上記上面開口容器の上面の開口部に宛がい、当該フィルムを若干伸長させながら、各係合用細溝状凹部を上記上面開口容器の周方向突出部の対向する二辺に嵌合させることにより、当該宙吊り物品収納フィルムを上面開口容器の上面の開口部に張設することができ、これにより宙吊り物品収納容器を形成することができる。そして、宙吊り物品収納フィルムの物品収納凹部に例えば果実を収納することにより、上面開口容器において果実を宙吊り状態で収納支持することができる。
【００２４】
第７に、外周方向に突出する周方向突出部が開口部の周囲に形成された上面開口容器に、上記第６記載の宙吊り物品収納フィルムが被覆されることにより形成される宙吊り物品収納容器であって、上記宙吊り物品収納フィルムの上記係合用細溝状凹部が、上記上面開口容器の対応する上記周方向突出部の二辺に各々嵌合されることにより、上記宙吊り物品収納フィルムが上記上面開口容器の上記開口部を閉鎖するように張設され、かかる張設状態において、上記物品収納凹部に物品を宙吊り状態で収納し得る上記第６記載の宙吊り物品収納フィルムを使用した宙吊り物品収納容器により構成される。
【００２５】
このように構成すると、上面開口容器の上面の開口部の周方向突出部の対向する二辺に宙吊り物品収納フィルムの係合用細溝状凹部を嵌合するだけで、上面開口容器の上面の開口部に宙吊り物品収納フィルムを張設することができ、極めて簡単に宙吊り物品収納容器を構成することができる。
【００２６】
第８に、上記上面開口容器は硬質合成樹脂製，ダンボール製又はパルプモウルド製である上記第２，５，７の何れかに記載の宙吊り物品収納容器により構成される。
【００２７】
上記上面開口容器は、汎用品を使用することができ、その材質は、硬質樹脂製、段ボール製、パルプモウルド製等各種の材質を用いることができる。
【発明の効果】
【００２８】
本発明の宙吊り物品収納フィルムによれば、その平坦部の周囲に周方向溝部が形成されているので、周方向突出部を有する汎用的な上面開口容器であれば、当該フィルムを若干伸長させながら、上記フィルムの周方向溝部を周方向突出部に嵌合させるだけで、当該宙吊り物品収納フィルムを上面開口容器の開口部に張設して宙吊り物品収納容器を形成することができ、宙吊り物品収納フィルムと上面開口容器だけで、宙吊り物品収納容器を極めて簡単な手順により構成することができる。
【００２９】
また、本発明の宙吊り物品収納フィルムによれば、そのフィルムの四隅に係合用小凹部が形成されているので、周方向突出部を有する汎用的な上面開口容器であれば、当該フィルムを若干伸長させながら、各係合用小凹部を上記上面開口容器の四隅のコーナ部に嵌合させるだけで、当該宙吊り物品収納フィルムを上面開口容器の上面開口部に張設して宙吊り物品収納容器を形成することができ、宙吊り物品収納フィルムと上面開口容器だけで、宙吊り物品収納容器を極めて簡単な手順により構成することができる。
【００３０】
また、本発明の宙吊り物品収納フィルムによれば、そのフィルムの対向する二辺に係合用細溝状凹部が形成されているので、周方向突出部を有する汎用的な上面開口容器であれば、当該フィルムを上記上面開口容器の上面開口部に宛がい、当該フィルムの各係合用細溝状凹部を上記上面開口容器の周方向突出部の対向する２辺に嵌合させることにより、当該宙吊り物品収納フィルムを上面開口容器の開口部に張設して、宙吊り物品収納容器を形成することができ、宙吊り用果実収納フィルムと上面開口容器だけで、宙吊り物品収納容器を極めて簡単な手順により構成することができる。
【図面の簡単な説明】
【００３１】
【図１】（ａ）は本発明に係る第１の実施形態の宙吊り物品収納フィルムの斜視図、（ｂ）は（ａ）のＡ−Ａ線断面図、（ｃ）は（ａ）のＢ−Ｂ線断面図である。
【図２】（ａ）は同上物品収納フィルムを成型するためのブロックの斜視図、（ｂ）は（ａ）のＣ−Ｃ線断面図、（ｃ）は（ａ）のＤ−Ｄ線断面図である。
【図３】（ａ）は同上物品収納フィルムの成型状態を示す側面断面図、（ｂ）は成型後の同上物品収納フィルムの側面断面図である。
【図４】（ａ）は同上物品収納フィルムを被覆する上面開口容器の斜視図、（ｂ）は（ａ）のＥ−Ｅ線断面図、（ｃ）は（ａ）のＦ−Ｆ線断面図である。
【図５】（ａ）は本発明に係る宙吊り物品収納容器の斜視図、（ｂ）は（ａ）のＧ−Ｇ線断面図、（ｃ）は（ａ）のＨ−Ｈ線断面図である。
【図６】（ａ）は第２の実施形態の宙吊り物品収納フィルムの斜視図、（ｂ）は（ａ）のＩ−Ｉ線断面図である。
【図７】（ａ）は同上物品収納フィルムを成型するためのブロックの斜視図、（ｂ）は同上ブロックの平面図、（ｃ）は（ｂ）のＮ−Ｎ線断面図、（ｄ）は（ｂ）のＪ−Ｊ線断面図である。
【図８】同上物品収納フィルムの成型状態を示す側面断面図である。
【図９】（ａ）は本発明に係る物品収納容器の斜視図、（ｂ）は（ａ）のＯ−Ｏ線断面図である。
【図１０】第３の実施形態に係る同上物品収納フィルムの斜視図である。
【図１１】（ａ）は同上物品収納フィルムを成型するためのブロックの斜視図、（ｂ）は（ａ）のＲ−Ｒ線断面図である。
【図１２】（ａ）は同上物品収納フィルムの成型状態を示す側面断面図、（ｂ）は成型後の同上物品収納フィルムの側面断面図である。
【図１３】同上物品収納フィルムを被覆する上面開口容器の斜視図である。
【図１４】（ａ）は本発明に係る物品収納容器の斜視図、（ｂ）は（ａ）のＶ−Ｖ線断面図である。
【発明を実施するための形態】
【００３２】
以下、添付図面に基づいて本発明に係る宙吊り物品収納フィルム及び宙吊り物品収納容器について詳細に説明する。尚、以下の説明においては物品として果実「苺」を例に説明するが、「物品」には、果実としては苺の他、各種の果物（りんご、イチジク、桃等）を含み、トマト、ナス等の野菜も含まれる。さらには、食品以外の電子部品、食器等の各種の物をも含む概念である。勿論、宙吊り物品収納フィルムの物品収納凹部２は、収納される物品の外形状に沿った形状となるように塑性変形により形成されるものである。
【００３３】
（第１の実施形態）
図１（ａ）に本発明に係る宙吊り物品収納フィルム１Ａの斜視図、（ｂ）に（ａ）のＡ−Ａ線断面図、（ｃ）に（ａ）のＢ-Ｂ線断面図を示す
【００３４】
この宙吊り物品収納フィルム１Ａは、表面１ａに平坦部１’を介して複数（図１では８個）の果実収納凹部（物品収納凹部）２（凹部は下に凸）が塑性変形により形成されており、全体として略四角形状の熱可塑性合成樹脂薄フィルムから構成されるものである。尚、本実施形態では、苺を収納するための果実収納凹部２を示すが、これに限定されずその他、各種の果実を収納することが考えられる。勿論、果実収納凹部は収納される物品（果実）の形状に対応した形状の果実収納凹部となる。
【００３５】
この宙吊り物品収納フィルム１Ａの原材料としての熱可塑性合成樹脂薄フィルムは、その厚さが１０μｍ〜３００μｍの極めて薄い柔軟性のある透明又は半透明又は不透明のフィルムであり、ポリエチレン、ポリプロピレン、ポリウレタン、ポリスチレン、発泡ポリエチレン等の材質が用いられる。このフィルムの材質は、当該実施形態に限らず、以下説明する第２の実施形態、第３の実施形態における宙吊り物品収納フィルム１Ｂ，１Ｃにおいても同じである。
【００３６】
尚、図１において、上記フィルム１の平坦部１’の表面１ａ側を「上」、上記フィルム１の裏面１ｂ側を「下」と定義して以下説明する（図６、図１０においても同じ）。
【００３７】
この宙吊り物品収納フィルム１Ａは、熱可塑性合成樹脂薄フィルムによる上記平坦部１’の外周において、当該フィルムの上記平坦部１’の周縁１”から引き続いて、熱可塑性合成樹脂薄フィルムが裏面１ｂの内側方向に入り込むように塑性変形されることにより周方向溝部３が、上記平坦部１’の裏面１ｂ側の周囲に（本実施形態では全周に亘って）形成されている。
【００３８】
さらに、上記周方向溝部３の上記平坦部１’（表面１ａ）とは反対側の周縁（周方向溝部３の内側に入り込んだ部分の周縁）には、外方向に水平に延出する周方向延出部３’が、上記周方向溝部３に引き続いて、上記周方向溝３の周囲（本実施形態では全周に亘って）に塑性変形により形成されている（図１（ｂ）（ｃ）参照）。
【００３９】
このように上記宙吊り物品収納フィルム１Ａは、平坦部１’の全周に亘り、裏面１ｂ側に回り込むように周方向溝部３が塑性変形により形成され、さらに、上記周方向溝部３の裏面１ｂ側の周囲には、上記周方向溝部３に引き続いて、当該周方向溝部３の全周に亘って、外方向に水平に、周方向延出部３’が塑性変形により形成されている。
【００４０】
次に、上記宙吊り物品収納フィルム１Ａを真空成型により形成するための成型方法を説明する。
【００４１】
図２（ａ）に示すものは、図１の宙吊り物品収納フィルム１Ａを真空成型により成型するための型（ブロック４Ａ）であり、直方体形状のブロック４Ａの上面に上記宙吊り物品収納フィルム１Ａと略同様の面積の四角形状の平坦凹所５が形成され、当該平坦凹所５の中央部に上記果実収納凹部２を成型するための８個の果実収納凹所（物品収納凹所）６が形成され、かつ上記平坦凹所５の周縁の全周には、上記周方向溝部３を成型するための周方向側溝７（図２（ｂ）（ｃ）参照）が形成されている。この周方向側溝７の内面７’は、上記平坦凹所５の周縁５ａよりも、水平方向に奥側（外周側）に入り込んだ状態で形成されており、上記周縁５ａに対して、上記周方向側溝７の上面７”は直交している。即ち、上記上面７”は水平であり、開口方向（周縁５ａ方向）に向かうテーパ面は形成されていない。
【００４２】
尚、図２（ｂ）（ｃ）に示す上記ブロック４Ａ内に形成された複数の吸引孔８は、空気を吸引するための孔である。これらの吸引孔８は、果実収納凹所６、上記周方向側溝７と当該ブロック４Ａ下面との間を貫通している。図２にはこれらの吸引孔８を模式的に表しているが、実際はより細い複数の吸引孔８が形成されている（図８、図１２においても同じ）。
【００４３】
上記型（ブロック４Ａ）を使用して上記宙吊り物品収納フィルム１Ａを成型するには、図３（ａ）に示すように、上記ブロック４Ａを脚部２５にて吸引台上に載置し、上記ブロック４Ａの上面に熱した熱可塑性合成樹脂薄フィルム９を位置させ、その後、上記フィルム９を矢印Ｐ方向に下降して上記ブロック４Ａの上記平坦凹所５を完全に閉鎖し、その後、上記ブロック４Ａの下側から空気を矢印Ｑ方向に吸引することにより、上記吸引孔８から下方に空気を吸引し、同図（ａ）に示すように、上記熱可塑性合成樹脂薄フィルム９を、上記ブロック４の上記平坦凹所５、果実収納凹所６、周方向側溝７の形状に沿って塑性変形する（図３（ａ）の塑性変形後の熱可塑性合成樹脂薄フィルム９’参照）。
【００４４】
その後、図３（ｂ）に示すように、上記ブロック４Ａから熱可塑性合成樹脂薄フィルム９’を取り出すことにより、上記宙吊り物品収納フィルム１Ａを形成することができる。
【００４５】
特に、当該熱可塑性合成樹脂薄フィルム９’は、極めて薄く、塑性変形後も柔軟性を有しているので、図３（ａ）の周方向側溝７（図２（ｂ）、（ｃ）参照）のように、上記平坦凹所５における上記周方向側溝７の奥部側の内面７’を、垂直面とし、さらに上記上面７”を水平面としても、当該熱可塑性合成樹脂薄フィルム９’を変形させることにより、上記ブロック４Ａから容易に離脱することができる。
【００４６】
即ち、上記熱可塑性合成樹脂薄フィルム９の塑性変形後、上記フィルム９’の周方向延出部３’を以って上記ブロック４Ａから当該フィルム９を引き剥すように離脱することにより、図３（ｂ）に示すように塑性変形された熱可塑性合成樹脂薄フィルム９’を容易に形成することができる。
【００４７】
図３（ｂ）に示す塑性変形後の熱可塑性合成樹脂薄フィルム９’は、上記果実収納凹部２、周方向溝部３、周方向延出部３’は塑性変形により形成されているので、その後、上記果実収納凹部２を矢印Ｋ方向に逆転させることにより、図１に示す宙吊り物品収納フィルム１Ａを形成することができる。
【００４８】
当該熱可塑性合成樹脂薄フィルム９’は柔軟であるので、上記果実収納凹部２は容易に反転することができ、しかも塑性変形されているので、成型時の形状は維持される。勿論、この状態において（図３（ｂ）又は図１（ａ）の状態において）、当該宙吊り物品収納フィルム１を、折り畳む、或いは、上下方向に潰して重ねる等して、収納運搬を行うことができるが、果実収納凹部２、周方向溝部３、周方向延出部３’等の塑性変形された部分の形状は失われず、塑性変形された形状を維持しているのである。
【００４９】
次に、上記宙吊り物品収納フィルム１Ａが被覆される上面開口容器１０Ａについて図４に基づいて説明する。
【００５０】
同図に示す上面開口容器１０Ａは、硬質の合成樹脂から構成された透明又は半透明の上面開口トレーである。この上面開口容器１０Ａは、苺を収納するための汎用品であり、通常は、薄いスポンジ等の緩衝シートを敷いて、その上に複数の苺を載置し、上側に透明フィルムを被覆することにより、苺の果実収納容器として使用されるものである。
【００５１】
この上面開口容器１０Ａは、上面に開口部１２が形成された直方体形状のトレーであり、上記開口部１２の上縁に外周方向に水平に突出する周方向突出部１３が周囲に（本実施形態では上記上縁の全周に亘って）形成され、容器の内部には平坦な底面１４が形成されている。
【００５２】
この上面開口容器１０Ａは、上述のように、従来、苺の収納用としての汎用品であり、特に、本発明に係る宙吊り物品収納フィルム１Ａを被覆するための特別な突出部或いは係合部等が形成されたものではない。
【００５３】
この上面開口容器１０Ａの上記周方向突出部１３は、上記開口部１２の上縁から水平方向外側に突出しており、その周端側はさらに緩やかに下降したテーパ部１３ａが形成されている（図４（ｂ）（ｃ）参照）。そして、この周方向突出部１３に、上記宙吊り物品収納フィルム１Ａの上記周方向溝部３が係合することになる。
【００５４】
ところで、当該上面開口容器１０Ａは汎用品であるが、上記宙吊り物品収納フィルム１Ａは、当該汎用品である上面開口容器１０Ａの大きさに合わせて形成されるものである。従って、上記ブロック４Ａ（図２参照）の四角形状の平坦凹所５を含む周方向側溝７の面積、即ち、周方向側溝７の側面７’を輪郭とする内側の平面の面積Ｓ１は、上記上面開口容器１０Ａの上記周方向突出部１３の外周を輪郭とする面積Ｓ２に基づいて決定される。
【００５５】
より具体的には、上記平坦凹所５を含む上記内面７’を輪郭とする四角形状の内側の面積Ｓ１は、上記成型後の宙吊り物品収納フィルム１Ａを上記上面開口容器１０Ａに図５に示すように被覆したとき、上記フィルム１Ａの平坦部１’が前後左右に引っ張られ、ピンと張った状態となるように、上記フィルム１Ａの伸びを考慮して、上記上面開口容器１０Ａの上記周方向突出部１３の外周を輪郭とする上記面積Ｓ２より僅かに大きい、上記面積Ｓ２と略同一、又は上記面積Ｓ２より若干小さくなるように成型する（Ｓ１＞Ｓ２、又はＳ１≦Ｓ２）。
【００５６】
上記ブロック４Ａの上記面積Ｓ１が上記上面開口容器１０Ａの上記面積Ｓ２よりも大きい場合があるのは、上記真空成型時に上記熱可塑性合成樹脂薄フィルム９の熱による収縮を考慮したもので、薄いフィルム（例えば厚みが１０μｍ〜５０μｍ程度）の場合は、熱によりフィルムが収縮する傾向にあるので、Ｓ１の面積をＳ２より若干大きくする場合がある。
【００５７】
上記面積が僅かに大きい、略同一又は若干小とは、熱可塑性合成樹脂フィルム９の材質、厚みにもよるが、例えば、ブロック４Ａの上記内面７’の縦の長さ、横の長さを、上記上面開口容器１０Ａの周方向突出部１３の縦の長さ、横の長さに対して各々＋３ｍｍ〜０ｍｍ〜−５ｍｍの範囲内の長さ、又は、各々＋１ｍｍ〜０ｍｍ〜−３ｍｍの範囲内の長さで増減することが考えられる。
【００５８】
何れにしても、成型後の宙吊り物品収納フィルム１Ａの周方向溝部３の外縁により形成される四角形状の面積は、上記上面開口容器１０Ａの上記面積Ｓ２と略同一、上記面積Ｓ２よりも若干小となるように形成される。上記成型後の宙吊り物品収納フィルム１Ａの上記面積が上記上面開口容器１０Ａの上記面積Ｓ２と略同一の場合があるのは、宙吊り物品収納フィルム１Ａの厚みが比較的厚いフィルム（例えば厚みが１００μｍ〜１８０μｍ程度、或いはそれ以上の３００μｍ程度までの厚み）の場合は、フィルムの伸縮性が小さくなるので、上記フィルム１Ａの上記面積と上記上面開口容器１０Ａの上記面積を略同一とすることにより、フィルムの容器への装着の作業性を向上することができるからである。
【００５９】
次に、図５に基づいて、宙吊り物品収納フィルム１Ａを上記上面開口容器１０Ａに被覆して宙吊り物品収納容器１０Ａ’を構成する方法を説明する。
【００６０】
同図に示すように、上記宙吊り物品収納フィルム１Ａを、その裏面１ｂ側を上記上面開口容器１０Ａの開口部１２側に向けて、当該フィルム１Ａを上記上面開口容器１０Ａの上面の開口部１２を閉鎖するように宛がい、上記フィルム１Ａの全周に亘り形成された周方向溝部３を、上記上面開口容器１０Ａの上面の開口部１２の全周に亘り形成された周方向突出部１３に、全周に亘って嵌合させることにより、図５（ａ）に示すように、上面開口容器１０Ａの上面の開口部１２を上記宙吊り物品収納フィルム１Ａにて閉鎖するように張設する。ここで、上記フィルム１Ａの各辺の上記周方向溝部３を特定する場合は符号３１〜３４を使用する。また、上記容器１０Ａの周方向突出部１３についても各辺の周方向突出部を特定する場合は符号１３１〜１３４を使用する。
【００６１】
このとき、上記上面開口容器１０Ａの周方向突出部１３を輪郭とする四角形状の面積よりも、上記宙吊り物品収納フィルム１Ａの周方向溝部３の外縁を輪郭とする四角形状の面積は若干小なので、まずは、短辺側の周方向溝部３１を、上記上面開口容器１０Ａの対応する短辺側の周方向突出部１３１に嵌合し、上記宙吊り物品収納フィルム１Ａを若干、長辺に沿って引き伸ばしながら、対向する短辺の周方向溝部３２を上記上面開口容器１０Ａの対向する短辺側の周方向突出部１３２に嵌合し、最後に、長辺側の左右の周方向溝部３３，３４を、上記上面開口容器１０Ａの対向する長辺側の周方向突出部１３３，１３４に嵌合する、という手順で、上記宙吊り物品収納フィルム１Ａを上記上面開口容器１０Ａに張設する。
【００６２】
すると、図５（ｂ）、（ｃ）に示すように、上記宙吊り物品収納フィルム１Ａの周方向溝部３が、上記上面開口容器１０Ａの周方向突出部１３に、全周に亘り嵌合する。このとき、上記宙吊り物品収納フィルム１Ａの平坦部１’は若干前後左右に伸長されているので、周方向溝部３の全周を上記上面開口容器１０Ａの周方向突出部１３の全周に係合してから当該フィルム１Ａから手を離すと、上記フィルム１の戻り方向（矢印Ｍ方向、図５（ｂ）（ｃ）参照）のテンションにより、上記周方向溝部３の溝内に、上記周方向突出部１３が全周に亘り入り込み、両者が嵌合状態となる（図５（ｂ）（ｃ）参照）。
【００６３】
より具体的には、上記周方向溝部３は、塑性変形により形成されているので、上記上面開口容器１０Ａの周方向突出部１３に全周に亘り確実に嵌合し、しかも、周方向延出部３’が外方向に形成されているので、周方向溝部３と上記周方向延出部３’の間に内側方向に湾曲した周方向逆溝部３”が塑性変形により形成されており、この周方向逆溝部３”が、上記容器１０Ａの周方向突出部３の裏面側に全周に亘り係合し（図５（ｂ）、（ｃ）参照）、上記フィルム１Ａの上記戻りテンションの作用に基づいて、上記周方向逆溝部３”及び周方向延出部３’が上記周方向突出部１３の裏面側への引っ掛かりとなって、上記周方向溝部３が上記上面開口容器１０Ａの上記周方向突出部１３に、全周に亘り確実に嵌合する。即ち、果実収納凹部２に果実を収納して上記フィルム１Ａに下向きの重量が作用しても、当該フィルム１Ａは下方向に大きく撓んで上記果実収納凹部２が上面開口容器１０Ａの底面１４に接触することはない。
【００６４】
その結果、図５（ａ）に示すように、宙吊り物品収納フィルム１Ａは、上記上面開口容器１０Ａの上面の開口部１２にピンと張った状態で張設され、その果実収納凹部２の底面と上記上面開口容器１０Ａの底面１４との間には、空間Ｓが形成され（図５（ｂ）（ｃ）参照）、宙吊り物品収納容器１０Ａ’を形成することができる。
【００６５】
従って、その後、上記宙吊り物品収納フィルム１Ａの各果実収納凹部２上に、図５（ｃ）に示すように、苺２６の８個を収納することができる。このとき、上記宙吊り物品収納フィルム１Ａは、上述のように、周方向溝部３と周方向突出部１３が確実に嵌合している張設状態であるので、上記苺２６（８個）を果実収納凹部２に収納し、苺８個の重量が当該フィルム１Ａに作用しても、当該宙吊り物品収納フィルム１Ａは大きく撓むことはなく張設状態を維持し、当該フィルム１Ａは８個の苺２６を宙吊り状態で支持することができる。即ち、上記果実収納凹部２に苺２６（８個）を収納しても、各苺２６の底部は上記上面開口容器１０Ａの底面１４に接することはなく、傷が付き易い苺２６をどこにも触れることなく宙吊り状態で保持することができる。
【００６６】
このように、汎用の上面開口容器１０Ａに、直接、宙吊り物品収納フィルム１Ａを張設するだけで、果実を宙吊り収納し得る宙吊り物品収納容器１０Ａ’を構成することができ、従来のように、容器以外に必要であったフィルムを被覆するための方形枠も必要ないし、フィルムと容器を接着する接着剤も必要とせず、フィルム１Ａの周縁に嵌合用の嵌合枠体を別途取り付ける必要もなく、フィルム１Ａの辺に硬質片を接着する必要もない。
【００６７】
しかも、上面開口容器１０Ａへの宙吊り物品収納フィルム１Ａの取り付け動作も、慣れてくると略ワンアクションで、極めて簡単に行うことができる。
【００６８】
加えて、既に存在する汎用品の上面開口容器１０Ａを利用することができるので、専用の上面開口容器を製造する必要はなく、低コストにて宙吊り物品収納容器を製造することが可能となる。
【００６９】
尚、この第１の実施形態では、四角形状の宙吊り物品収納フィルム１Ａ、四角形状の上面開口容器１０Ａを示したが、上記フィルム及び上面開口容器の形状は四角形状に限らず、円形状、楕円形状等であっても良い。即ち、平面視形状が円形、又は楕円形状の宙吊り物品収納フィルム１Ａを、平面視形状が円形、楕円形状の上面開口容器１０Ａに装着する構成でも良い。
【００７０】
（第２の実施形態）
次に、図６〜図９に基づいて、本発明の第２の実施形態を説明する。図６（ａ）に第２の実施形態の宙吊り物品収納フィルム１Ｂの斜視図を示す。
【００７１】
この第２の実施形態において、宙吊り物品収納フィルム１Ｂは、表面１ａに平坦部１’を介して複数の果実収納凹部（物品収納凹部）２が塑性変形により形成された四角形状の熱可塑性合成樹脂薄フィルムから構成されており、上記熱可塑性合成樹脂薄フィルムの上記平面部１’の四隅２７の各々に上記平坦部１’を介して４つの係合用小凹部１５が塑性変形により形成されている。
【００７２】
そして、上記係合用小凹部１５は、上記平坦部１’の表面１ａから裏面１ｂ側に凹設されている。また、この係合用小凹部１５は、上記宙吊り物品収納フィルム１の四隅２７の直角のコーナ部を二等分する直線Ｌ（図６（ａ）参照）に直交する方向に形成されている。従って、図６（ｂ）に示すように、上記直線Ｌに沿うＩ−Ｉ線断面図でみると、上記直線Ｌに直交する方向に溝状に凹設されている。
【００７３】
次に、上記宙吊り物品収納フィルム１Ｂを真空成型により形成するための成型方法を説明する。
【００７４】
図７（ａ）に示すものは、図６の宙吊り物品収納フィルム１Ｂを真空成型により成型するための型（ブロック４Ｂ）である。このブロック４Ｂは、直方体形状をなし、水平な上面２８の四隅の各コーナ部１７に、各コーナ部１７の直角を２等分する直線Ｌ’に直交する方向に、係合用小凹所１８（全４か所）が各々形成され（図７（ｂ）（ｃ）（ｄ）参照）、該４個の係合用凹所１８の各外径線を結ぶ直線に沿って、上記上面２８から若干凹設された平坦凹所１９が形成され、該平坦凹所１９の中央部に、８個の果実収納凹所（物品収納凹所）６が形成されている。また、上記果実収納凹所６、上記係合用小凹所１８と上記ブロック４Ｂ底面との間には、複数の吸引孔８が、上記ブロック４Ａと同様に形成されている（図８、図７（ｃ）（ｄ）参照）。尚、上記ブロック４Ｂにおいて、上記平坦凹所１９は無くても良く、平坦な上記上面２８に直接係合用小凹所１８を形成しても良い。
【００７５】
上記型（ブロック４Ｂ）を使用して上記宙吊り物品収納フィルム１Ｂを成型するには、図８に示すように、ブロック４Ｂを脚部２５により吸引台上に載置し、上記第１の実施形態と同様に、上記ブロック４Ｂの上面に熱した熱可塑性合成樹脂薄フィルム９を位置させ、その後、上記フィルム９を矢印Ｐ方向に下降して上記ブロック４Ｂの上記平坦凹所１９を完全に閉鎖し、その後、上記ブロック４Ｂの下側から空気を矢印Ｑ方向に吸引することにより、上記複数の吸引孔８から空気を吸引し、これにより同図に示すように、上記熱可塑性合成樹脂薄フィルム９を、上記ブロック４Ｂの上記平坦凹所１９、果実収納凹所６、係合用小凹所１８の形状に沿って塑性変形する（図８の塑性変形後の熱可塑性合成樹脂薄フィルム９’参照）。尚、図８では示していないが、上記係合用小凹所１８の部分にも吸引孔８が形成されており（図７（ｃ）（ｄ）参照）、矢印Ｑ方向に空気を吸引することで、上記フィルム９を上記各係合用凹所１８に沿って塑性変形させることができる。
【００７６】
その後、熱可塑性合成樹脂薄フィルム９’の四隅の部分を持って当該フィルム９’を上記ブロック４Ｂから引き剥すことにより、図６に示す宙吊り物品収納フィルム１Ｂを形成することができる。この宙吊り物品収納フィルム１Ｂは、図６に示すように、上記係合用小凹所１８によって、各コーナ部に各々上記係合用小凹部１５が、上記果実収納凹部２と同じ方向（フィルム１の表面１ａ側から裏面１ｂ側に向けて）の凹部として塑性変形により形成されている。実際には、この係合用小凹部１５は、上面開口容器１０Ｂに装着する場合は、上面開口容器１０Ｂ（図９参照）のコーナ部１６（１６１〜１６４）の角部に係合することになるので、逆方向、即ち、裏面１ｂ側から表面１ａ側に突出した状態（裏返した状態）で、上記角部に係合することになる。尚、熱可塑性合成樹脂薄フィルムは極めて薄いため、上記係合用小凹部１５は容易に裏返すことができ、塑性変形しているので、裏返しても、凹部としての形状、機能は損なわれない。勿論、宙吊り物品収納フィルム１Ｂを、折り畳む、上下方向に潰して重ねる等して、収納運搬を行うことができるが、果実収納凹部２、係合用小凹部１５等の塑性変形された部分の形状は失われず、塑性変形された形状を維持しているのである。
【００７７】
尚、上記ブロック４Ｂの上記係合用小凹所１８を上に凸状に設け、宙吊り物品収納フィルム１の係合用小凹部１５を裏面１ｂ側から表面１ａ側に凹設するように設けても良い。即ち、係合用小凹部１５は裏面１ｂ側又は表面１ａ側に凹設するように設けても良い。
【００７８】
次に、上記宙吊り物品収納フィルム１Ｂが被覆される上面開口容器１０Ｂについて図９に基づいて説明する。
【００７９】
同図に示す上面開口容器１０Ｂは、硬質の合成樹脂から構成された透明又は半透明の上面開口容器である。この上面開口容器１０Ｂは、苺を収納するための汎用品であり、基本的には図４に示す上面開口容器１０Ａと同様のものである。よって、通常は、薄いスポンジ等の緩衝シートを敷いて、その上に複数の苺を載置し、上側に透明フィルムを被覆することにより、汎用の苺の果実収納容器として使用されるものである。従って、当該上面開口容器１０Ｂにおいては、図４の上面開口容器１０Ａと同一部分又は対応部分については、同一符号を付して、便宜上その説明を省略する。
【００８０】
上記上面開口容器１０Ａと当該上面開口容器１０Ｂの相違点は、周方向突出部１３の４つのコーナ部１６が、図４の上記上面開口容器１０は湾曲して形成されているが、当該上面開口容器１０Ｂは略直角に近い角度で構成されている点である（図９（ａ）参照）。即ち、上記宙吊り物品収納フィルム１の上記係合用小凹部１５が、上記各コーナ部１６に係合し易い形状に形成されている。
【００８１】
ところで、当該上面開口容器１０Ｂは汎用品であるが、上記宙吊り物品収納フィルム１Ｂは、当該汎用品である上面開口容器１０Ｂの大きさに合わせて形成されるものである。従って、上記ブロック４Ｂ（図７参照）の平坦凹所１９の四辺の輪郭線を結んでできる四角形の面積（四隅は係合用小凹所１８を考慮せずに、四隅が直角の四角形の面積）が、上記上面開口容器１０Ｂの周方向突出部１３の外縁を結んでできる四角形の面積よりも僅かに大きい、上記上面開口容器１０Ｂの周方向突出部１３の外縁を結んでできる四角形の面積と略同一、又は上記上面開口容器１０Ｂの周方向突出部１３の外縁を結んでできる四角形の面積より若干小さくなるように形成する。
【００８２】
上記ブロック４Ｂの上記面積が上記上面開口容器１０Ｂの上記面積よりも大きい場合があるのは、上記真空成型時に上記熱可塑性合成樹脂薄フィルム９の熱による収縮を考慮したもので、薄いフィルムの場合（例えば厚みが１０μｍ〜５０μｍ程度）は、熱によりフィルムが収縮する傾向にあるので、上記ブロック４Ｂの上記面積を若干大きくする場合がある。より具体的には、上記ブロック４Ｂの上記平坦凹所１９の長辺側の長さｔ１と短辺側の長さｔ２が、上記上面開口容器１０Ｂ（フィルム１Ｂではない）の周方向突出部１３の長辺側の長さｔ１’及び短辺側の長さｔ２’さよりも僅かに長い、略同一の長さ又は若干短くなるように形成する（ｔ１＞ｔ１’、ｔ２＞ｔ２’、又は、ｔ１≦ｔ１’、ｔ２≦ｔ２’）。
【００８３】
ここで、上記長さが僅かに長い、略同一又は若干短いとは、熱可塑性合成樹脂薄フィルム９の材質、厚みにもよるが、例えば、上記ブロック４Ｂの長辺側の長さｔ１、短辺側の長さｔ２が、上記上面開口容器１０Ｂ（フィルム１Ｂではない）の上記周方向突出部１３の長辺側の長さｔ１’、短辺側の長さｔ２’より、各々＋３ｍｍ〜０ｍｍ〜−５ｍｍの範囲内の長さ、又は、各々＋１ｍｍ〜０ｍｍ〜−３ｍｍの範囲内の長さで増減することが考えられる。そして成型後の宙吊り物品収納フィルム１Ｂにおける上記平坦凹所１９により成型される四角形の面積（四隅は係合用小凹部１５を考慮せずに、四隅が直角の四角形の面積）が、上記上面開口容器１０Ｂの周方向突出部１３の外縁を結んでできる四角形の面積と略同一、又は若干小となるように形成される。
【００８４】
上記成型後の宙吊り物品収納フィルム１Ｂの上記面積が上記上面開口容器１０Ｂの上記面積に略同一の場合があるのは、宙吊り物品収納フィルム１Ｂの厚みが比較的厚いフィルム（例えば厚みが１００μｍ〜１８０μｍ程度、或いはそれ以上の３００μｍ程度までの厚み）の場合は、フィルムの伸縮性が小さくなるので、上記フィルム１Ｂの上記面積と上記上面開口容器１０Ｂの上記面積を略同一とすることにより、フィルムの容器への装着の作業性を向上させることができるからである。
【００８５】
何れにしても、図９に示すように、上記宙吊り物品収納フィルム１Ｂを上記上面開口容器１０Ｂに装着する際、各係合用小凹部１５を上記コーナ部１６に係合するが、４つの係合用小凹部１５を上記各コーナ部１６に係合したとき、上記宙吊り物品収納フィルム１Ｂの平坦部１’をピンと張った状態とすることが必要である。
【００８６】
次に、図９に基づいて、当該宙吊り物品収納フィルム１Ｂを上記上面開口容器１０Ｂに被覆する構造を説明する。ここで、上記宙吊り物品収納フィルム１Ｂの４つの係合用凹部１５は予め表面１ａ側に凸、即ち、裏返した状態にしているものとする。尚、上記上面開口容器１０Ｂの各コーナ部１６はコーナを特定する場合は符号１６１〜１６４を使用する。
【００８７】
同図に示すように、上記宙吊り物品収納フィルム１Ｂを、その裏面１ｂ側を上記上面開口容器１０Ｂの開口部１２側に向けて、当該フィルム１Ｂを上記上面開口容器１０Ｂの上面の開口部１２を閉鎖するように宛がい、上記フィルム１Ｂの四隅に形成された係合用小凹部１５を、上記上面開口容器１０Ｂの上記周方向突出部１３の各コーナ部１６に係合（嵌合）させることにより、図９（ａ）に示すように、上面開口容器１０Ｂの上面開口部１２を上記宙吊り物品収納フィルム１Ｂにて閉鎖するように当該開口部１２に張設する。
【００８８】
具体的には、上記宙吊り物品収納フィルム１Ｂの１つの係合用小凹部１５を、上面開口容器１０Ｂの周方向突出部１３の１つのコーナ部１６１に嵌合し、上記フィルムＢを若干短辺方向に引っ張りながら、短辺側の他の１つの係合用小凹部１５を、上記短辺側の隣接するコーナ部１６２に嵌合し、その後は、フィルム１Ｂ自体を長辺方向に若干引っ張りながら、他方の側の係合用小凹部１５を、他のコーナ部１６３に嵌合し、さらに該フィルム１Ｂを短辺側に若干引っ張りながら最後の係合用小凹部１５を残りのコーナ部１６４に嵌合することで、当該宙吊り物品収納フィルム１Ｂを、上面開口容器１０Ｂの開口部１２に張設し、宙吊り物品収納容器１０Ｂ’を形成する。
【００８９】
このとき、上述のように、上記平坦凹所１９の面積は上記上面開口容器１０Ｂの周方向突出部１３の外縁により形成される面積より小に形成されているので、上記宙吊り物品収納フィルム１Ｂの係合用小凹部１５の位置は、上記上面開口容器１０Ｂの周方向突出部１３の各コーナ部１６の位置より若干内側に形成されている。よって、上記宙吊り物品収納フィルム１Ｂを上記上面開口容器１０Ｂに張設したとき、フィルム１Ｂの表面はピンと張った状態となり、また、係合用小凹部１５が塑性変形により形成されているので、上記熱可塑性合成樹脂薄フィルムの戻りテンション（矢印Ｍ方向、図９（ｂ）参照））が作用することにより、上記係合用小凹部１５が上記各コーナ部１６に確実に引っ掛かり、従って、上記果実収納凹部２と上記上面開口容器１０Ｂの底面１４との間に空間Ｓが形成された状態となる（図９（ｂ）参照）。
【００９０】
即ち、宙吊り物品収納フィルム１Ｂの平坦部１’はピンと張った状態となっているので、果実収納凹部２に果実を収納して当該フィルム１Ｂに下向きの重量が作用しても、当該フィルム１Ｂ下向きに大きく撓んで果実の底面が上記上面開口容器１０Ｂの底面１４に接触することはない。
【００９１】
従って、その後、上記宙吊り物品収納フィルム１Ｂの各果実収納凹部２上に、苺２６の８個を収納することができる。このとき、上記宙吊り物品収納フィルム１Ｂは、上述のように、係合用小凹部１５と周方向突出部１３の各コーナ部１６が確実に嵌合しているので、上記苺２６を果実収納凹部２に収納し、当該フィルム１Ｂに下向きの重量が作用しても該フィルム１Ｂは大きく撓むことなく、苺２６を宙吊り状態で支持することができる。即ち、上記果実収納凹部２に苺２６を収納しても、その苺２６の底部は上記果実収納容器１０の底面１４に接することはなく、傷が付き易い苺２６をどこにも触れることなく宙吊り状態で保持することができる。
【００９２】
このように、上記上面開口容器１０Ｂに、宙吊り物品収納フィルム１Ｂを張設するだけで、果実を宙吊り収納し得る宙吊り物品収納容器１０Ｂ’を構成することができ、従来のように、フィルムを被覆するための方形枠も必要ないし、フィルムと容器を接着する接着剤も必要とせず、フィルムの周縁に硬質な嵌合枠を別途取り付ける必要もないし、フィルムの辺に硬質の係合片を接着する必要もない。
【００９３】
しかも、上面開口容器１０Ｂへの宙吊り物品収納フィルム１Ｂの取り付け動作も極めて簡単に行うことができる。
【００９４】
このように、上記宙吊り物品収納フィルム１Ｂの上記係合用小凹部１５が汎用の上記上面開口容器１０Ｂの上記周方向突出部１３の四隅のコーナ部１６に各々係合されることにより、上記宙吊り物品収納フィルム１Ｂが上記上面開口容器１０Ｂの上面開口を閉鎖するように張設され、かかる張設状態において、上記果実収納凹部２に果実を宙吊り状態で収納し得るものである。
【００９５】
（第３の実施形態）
次に、図１０〜図１４に基づいて、本発明の第３の実施形態を説明する。図１０に第３の実施形態の宙吊り物品収納フィルム１Ｃの斜視図を示す。
【００９６】
この第３の実施形態において、宙吊り物品収納フィルム１Ｃは、表面１ａに平坦部１’を介して複数の果実収納凹部（物品収納凹部）２（本実施形態では３個）が塑性変形により形成された四角形状の熱可塑性合成樹脂薄フィルムから構成されており、上記熱可塑性合成樹脂薄フィルムの上記平坦部１’の短辺２４側の２か所に、短辺２４，２４の二辺に沿った係合用細溝状凹部２３，２３が塑性変形により形成されている。
【００９７】
より具体的には、上記係合用細溝状凹部２３は、当該宙吊り物品収納フィルム１Ｃの短辺２４，２４の縁部から、若干内側に入った位置において、上記短辺２４，２４に平行に、表面１ａ側から裏面１ｂ側に凹設されるように設けられている。
【００９８】
次に、上記宙吊り物品収納フィルム１Ｃを真空成型により形成するための成型方法を説明する。
【００９９】
図１１（ａ）に示すものは、図１０の宙吊り物品収納フィルム１Ｃを真空成型により成型するための型（ブロック４Ｃ）である。このブロック４Ｃは、直方体形状をなし、上面には平坦部２９が形成されており、短辺２２の側の２か所において、短辺２２より若干内側に入った位置に、直線状の係合用細溝状凹所２０，２０が、上記短辺２２，２２に平行に凹設されている。
【０１００】
また、上記平坦部２９の中央部には、３個の苺型の果実収納凹所（物品収納凹所）６が凹設されている。そして、同図（ｂ）に示すように、上記係合用細溝状凹所２０，２０と上記果実収納凹所６からは、吸引孔８が上記ブロック４Ｃの下面に貫通して設けられている。
【０１０１】
上記ブロック４Ｃを使用して上記宙吊り物品収納フィルム１Ｃを成型するには、図１２に示すように、上記第１の実施形態と同様に、上記ブロック４Ｃを脚部２５により吸引台上に載置し、上記ブロック４Ｃの上面に熱した熱可塑性合成樹脂薄フィルム９を位置させ、その後、上記フィルム９を矢印Ｐ方向に下降して上記ブロック４Ｃの上記平坦部１９を完全に閉鎖し、その後、上記ブロック４Ｃの下側から空気を矢印Ｑ方向に吸引することにより、上記吸引孔８から下方に空気を吸引し、同図に示すように、上記熱可塑性合成樹脂薄フィルム９を、上記ブロック４Ｃの上記係合用細溝状凹所２０、果実収納凹所６の形状に沿って塑性変形する（図１２（ａ）の塑性変形後の熱可塑性合成樹脂薄フィルム９’参照）。
【０１０２】
その後、熱可塑性合成樹脂薄フィルム９’の四隅の部分を持って該フィルム９’を上記ブロック４Ｃから引き剥すことにより、図１２（ｂ）に示す宙吊り物品収納フィルム１Ｃを形成することができる。この宙吊り物品収納フィルム１Ｃは、図１０に示すように、上記係合用細溝状凹所２０によって、短辺側に係合用細溝状凹部２３が、上記果実収納凹部２と同じ方向（フィルム１の表面１ａ側から裏面１ｂ側に向けて）の凹部として塑性変形により形成されている。実際には、この係合用細溝状凹部２３は、上面開口容器１０Ｃに装着する場合は、上面開口容器１０Ｃ（図１３参照）の周方向突出部１３の短辺側に係合することになるので、逆方向、即ち、裏面１ｂ側から表面１ａ側に突出した状態（裏返した状態）で、上記短辺に係合することになる。尚、熱可塑性合成樹脂薄フィルムは極めて薄いため、上記係合用細溝状凹部２３は容易に裏返すことができ、塑性変形しているので、裏返しても、凹部としての形状、機能は損なわれない。勿論、宙吊り物品収納フィルム１Ｃを、折り畳む、上下方向に潰して重ねる等して、収納運搬を行うことができるが、果実収納凹部２、係合用細溝状凹部１５等の塑性変形された部分の形状は失われず、塑性変形された形状を維持しているのである。
【０１０３】
また、上記ブロック４Ｃの上記係合用細溝状小凹所２０を上に凸状に設け、宙吊り物品収納フィルム１Ｃの係合用細溝状凹部２３を裏面１ｂ側から表面１ａ側に凹設するように設けても良い。即ち、係合用細溝状凹部２３は裏面１ｂ側又は表面１ａ側に凹設するように設けても良い。
【０１０４】
次に、上記宙吊り物品収納フィルム１Ｃが被覆される上面開口容器１０Ｃについて図１３に基づいて説明する。
【０１０５】
同図に示す上面開口容器１０Ｃは、硬質の合成樹脂から構成された透明又は半透明の上面開口容器である。この上面開口容器１０Ｃは、苺を収納するための細長形状の汎用品である。よって、通常は、薄いスポンジ等の緩衝シートを敷いて、その上に複数の苺を載置し、上側に透明フィルムを被覆することにより、汎用の苺の果実収納容器として使用されるものである。従って、当該上面開口容器１０Ｃは、図４の上面開口容器１０Ａと同一部分又は対応部分については、同一符号を付して、便宜上その説明を省略する。
【０１０６】
上記上面開口容器１０Ｃと当該上面開口容器１０Ａの相違点は、長辺の長さに対して短辺の長さがより短く構成されており、全体として細長形状に構成されている。
【０１０７】
ところで、当該上面開口容器１０Ｃは汎用品であるが、上記宙吊り物品収納フィルム１Ｃは、当該汎用品である上面開口容器１０Ｃの大きさ等に合わせて形成されるものである。従って、上記ブロック４Ｃ（図１１参照）の両係合用細溝凹所２０，２０間の距離ｔ３（図１１（ａ）参照）は、上記上面開口容器１０Ｃの短辺間の長さｔ４（図１３参照）より若干短く形成されている（ｔ４＞ｔ３）。また、上記ブロック４Ｃの係合用細溝状凹所２０の左右方向（長手方向）の長さｔ５（係合用細溝状凹所２０自体の長さ、図１１（ａ）参照）は、上記上面開口容器１０Ｃの短辺２１の長さｔ６（図１３参照）より僅かに長い、略同一、又は若干短く形成されている（ｔ５＞ｔ６、ｔ５≦ｔ６）。
【０１０８】
上記ブロック４Ｃの長さｔ５が上記上面開口容器１０Ｃの長さｔ６よりも長い場合があるのは、上記真空成型時に上記熱可塑性合成樹脂薄フィルム９の熱による収縮を考慮したもので、薄いフィルムの場合（例えば厚みが１０μｍ〜５０μｍ程度）は、熱によりフィルムが収縮する傾向にあるので、上記長さｔ５を上記長さｔ６より若干長くする場合がある。ここで、上記僅かに長い、略同一又は若干短いとは、熱可塑性合成樹脂フィルム９の材質、厚みにもよるが、例えば、上記ブロック４Ｃの長さｔ５が、上面開口容器１０Ｃの上記長さｔ６に対して各々＋３ｍｍ〜０ｍｍ〜−５ｍｍの範囲内の長さ、又は、各々＋１ｍｍ〜０ｍｍ〜−３ｍｍの範囲内の長さで増減することが考えられる。
【０１０９】
そして成型後の宙吊り物品収納フィルム１Ｃの上記係合用細溝状凹部２３，２３間の距離は、上記上面開口容器１０Ｃの上記長さｔ４より若干短くなるように形成され、上記係合用細溝状凹部２３の左右方向（長手方向）の長さ（係合用細溝状凹部２３自体の長さ）は、上記上面開口容器１０Ｃの上記長さｔ６と略同一又は若干短くなるように形成される。ここで、上記成型後の宙吊り物品収納フィルム１Ｃの上記係合用細溝状凹部２３自体の長さが、上記上面開口容器１０Ｃの上記長さｔ６と略同一の場合があるのは、宙吊り物品収納フィルム１Ｃの厚みが比較的厚いフィルム（例えば厚みが１００μｍ〜１８０μｍ程度、或いはそれ以上の３００μｍ程度までの厚さ）の場合は、フィルムの伸縮性が小さくなるので、上記フィルムの上記長さと上記上面開口容器１０Ｃの上記長さを略同一とすることにより、フィルムの容器への装着の作業性を向上させるためである。
【０１１０】
何れにしても、図１４に示すように、上記宙吊り物品収納フィルム１Ｃを上記上面開口容器１０Ｃに装着する際、各係合用細溝状凹部２３を上記周方向突出部１３の短辺２１に係合するが、２つの係合用細溝凹部２３を上記各短辺２１に係合したとき、上記宙吊り物品収納フィルム１Ｃの平坦部１’がピンと張った状態となるようにすることが必要である。  
【０１１１】
尚、上記係合用細溝状凹所２０の長さｔ５は、上記上面開口容器１０Ｃの短辺の長さｔ６より短くして、成型後のフィルム１Ｃの係合用細溝状凹部２３の長さを上記ｔ６より相当程度短くした方が、当該フィルム１Ｃの上記係合用細溝状凹部２３を上記上面開口容器１０Ｃの短辺２１に係合した際、係合用細溝状凹部２３が左右方向に十分に伸長して上記短辺２１に強く係合するため、当該フィルム１Ｃの上記短辺２１に仮止め状態とすることができ、その後の装着動作を容易に行うことができるという効果がある。
【０１１２】
次に、図１４に基づいて、当該宙吊り物品収納フィルム１Ｃを上記上面開口容器１０Ｃに被覆する構造を説明する。
【０１１３】
同図に示すように、上記宙吊り物品収納フィルム１Ｃを、その裏面１ｂ側を上記上面開口容器１０Ｃの開口部１２側に向けて、当該フィルム１Ｃを上記上面開口容器１０Ｃの上面の開口部１２を閉鎖するように宛がい、上記フィルム１Ｃの一方の係合用細溝状凹部２３を、上記上面開口容器１０Ｃの上記周方向突出部１３の一方の短辺２１に被せるように嵌合させ、次に、上記フィルム１Ｃ自体を長手方向に若干引っ張りながら、もう一方の係合用細溝状凹部２３を、周方向突出部１３の一方の短辺２１に被せるように嵌合する。そして、上記宙吊り物品収納フィルム１Ｃの両側の長辺側を上記上面開口容器１０Ｃの長辺に被せる。
【０１１４】
このとき、上述のように、上記宙吊り物品収納フィルム１Ｃの係合用細溝状凹部２３間の距離は、上記上面開口容器１０Ｃの長手方向の距離ｔ４より短く形成されており、また、上記係合用細溝状凹部２３自体の長さは上記上面開口容器１０Ｃの短辺の長さｔ６より短く形成されているので、当該宙吊り物品収納フィルム１Ｃを上記上面開口容器１０Ｃに張設したとき、フィルム１Ｂの表面は、当該フィルム自体の弾性により、ピンと張った状態となり、また、係合用細溝状凹部２３が塑性変形により形成されているので、上記熱可塑性合成樹脂薄フィルムの戻りテンション（矢印Ｍ方向）が作用することにより、上記係合用細溝状凹部２３が上記両短辺２１に確実に引っ掛かり、その結果、上記果実収納凹部２と上記上面開口容器１０Ｃの底面１４との間に空間Ｓが形成された状態となり、宙吊り物品収納容器１０Ｃ’を形成することができる（図１４（ｂ）参照）。
【０１１５】
従って、その後、上記宙吊り用果実収納フィルム１Ｃの果実収納凹部２に苺３個を収納することにより、苺２６の重量が上記宙吊り物品収納フィルム１Ｃに下向きに作用しても、苺２６の底面が上記上面開口容器１０Ｃの底面１４に接触しない状態、苺２６の底面と底面１４との間に空間Ｓが形成された状態、即ち、宙吊り状態で支持することができる。従って、上記果実収納凹部２に苺２６を収納しても、その苺２６の底部は上記上面開口容器１０の底面１４に接することはなく、傷が付き易い苺２６をどこにも触れることなく宙吊り状態で保持することができる。
【０１１６】
このように、上記上面開口容器１０Ｃに、宙吊り物品収納フィルム１Ｃを張設するだけで、果実を宙吊り収納し得る宙吊り物品収納容器１０Ｃ’を構成することができ、従来のように、フィルムを被覆するための方形枠も必要ないし、フィルムと容器を接着する接着剤も必要とせず、フィルムに硬質の嵌合枠を別途取り付ける必要もない。
【０１１７】
しかも、上面開口容器１０Ｃへの宙吊り物品収納フィルム１Ｃの取り付け動作も極めて簡単に行うことができる。
【０１１８】
尚、上記宙吊り物品収納フィルム１Ｃの係合用細溝状凹部２３は、当該フィルム１Ｃの短辺側に沿って設けたが、係合用細溝状凹部２３を、上記フィルム１Ｃの一対の長辺側に沿って各々設け、それらの係合用細溝状凹部２３を、上面開口容器１０Ｃの周方向突出部１３の長辺側に各々係合するように構成しても良い。
【０１１９】
このように、第３の実施形態の宙吊り物品収納容器１０Ｃ’は、上記宙吊り物品収納フィルム１Ｃが、上縁に外周方向に突出する周方向突出部１３が周囲に形成された上面開口容器１０Ｃの上面の開口部１２に被覆されることにより形成される物品収納容器１０Ｃ’であって、上記宙吊り物品収納フィルム１Ｃの上記係合用細溝状凹部２３が、上記上面開口容器１０Ｃの対応する上記突出部１３の二辺に各々係合されることにより、上記宙吊り物品収納フィルム１Ｃが上記上面開口容器１０Ｃの上面開口１２を閉鎖するように張設され、かかる張設状態において、上記果実収納凹部２に果実を宙吊り状態で収納し得るように構成されている。
【０１２０】
尚、上記上面開口容器１０Ａ〜１０Ｃは硬質合成樹脂製であるが、この上面開口容器１０Ａ〜１０Ｃをその他の素材、例えば、ダンボール、パルプモウルド等の他の素材により構成しても良い。
【０１２１】
以上のように、本発明の宙吊り物品収納フィルム１Ａによれば、その平坦部１’の周囲に周方向溝部３が形成されているので、周方向突出部１３を有する汎用的な上面開口容器１０Ａであれば、当該フィルム１Ａを若干伸長させながら、上記フィルム１Ａの周方向溝部３を周方向突出部１３に嵌合（係合）させるだけで、当該宙吊り物品収納フィルム１Ａを上面開口容器１０Ａの上面の開口部１２に張設して物品収納容器を形成することができ、宙吊り物品収納フィルム１Ａと上面開口容器１０Ａだけで、宙吊り物品収納容器１０Ａ’を極めて簡単な手順により構成することができる。
【０１２２】
また、本発明の宙吊り物品収納フィルム１Ｂによれば、そのフィルムの四隅に係合用小凹部１５が形成されているので、周方向突出部１３を有する汎用的な上面開口容器１０Ｂであれば、当該フィルム１Ｂを若干伸長させながら、各係合用小凹部１５を上記上面開口容器１０Ｂの四隅のコーナ部に嵌合（係合）させるだけで、当該宙吊り物品収納フィルム１Ｂを上面開口容器１０Ｂの上面の開口部１２に張設して物品収納容器を形成することができ、宙吊り物品収納フィルム１Ｂと上面開口容器１０Ｂだけで、宙吊り物品収納容器を極めて簡単な手順により構成することができる。
【０１２３】
また、本発明の宙吊り物品収納フィルム１Ｃによれば、そのフィルムの対向する二辺に係合用細溝状凹部２３が形成されているので、周方向突出部１３を有する汎用的な上面開口容器１０Ｃであれば、当該フィルム１Ｃを上記上面開口容器１０Ｃの上面の開口部１２に宛がい、当該フィルム１Ｃの各係合用細溝状凹部２３を上記上面開口容器１０Ｃの周方向突出部１３の対向する二辺２１，２１に嵌合（係合）させることにより、当該宙吊り物品収納フィルム１Ｃを上面開口容器１３の上面の開口部１２に張設して、宙吊り物品収納容器１０Ｃ’を形成することができ、宙吊り物品収納フィルム１Ｃと上面開口容器１０Ｃだけで、宙吊り物品収納容器１０Ｃ’を極めて簡単な手順により構成することができる。
【０１２４】
尚、第１の実施形態における周方向溝部３は、平坦部１’の全周に亘り形成したが、周方向溝部３は全周でなくても良く、四辺に沿って４か所に設ける等の構成でも良い。また、上面開口容器１０Ａの周方向突出部１３も開口部１２の全周に亘って形成されていなくても良く、四辺に沿って４か所に設ける等の構成であっても良い。
【０１２５】
また、上記第１〜第３の実施形態における上面開口容器１０Ａ，１０Ｂ，１０Ｃの例えば長辺側等の周方向突出部に突起又は切欠を設け、上記宙吊り物品収納フィルム１Ａ，１Ｂ，１Ｃの長辺側のフィルムを上記突起又は切欠に係止しても良い。このようにすると、果実を果実収納凹部に収納したときの宙吊り物品収納フィルムの下方への撓みをより抑制することができる。
【０１２６】
また、上記上面開口容器の底面は平面であったが、底面に上記宙吊り物品収納フィルムの複数の果実収納凹部に対応した複数の凹部を形成しても良いし、底面に上向きの支持柱を例えば一体成型により設け、上記支持柱の上面で上記宙吊り物品収納フィルムの裏面の平坦面を支持するように構成しても良い
【産業上の利用可能性】
【０１２７】
本発明に係る宙吊り物品収納フィルムによれば、汎用の上面開口容器を利用して、宙吊り物品収納容器を極めて簡単な手順で構成することができ、広く普及することが期待される。
【符号の説明】
【０１２８】
１          宙吊り物品収納フィルム
１’        平坦部
１ａ        表面
１ｂ        裏面
２          果実収納凹部
３          周方向溝部
３’        周方向延出部
１０Ａ，１０Ｂ，１０Ｃ        上面開口容器
１０Ａ’，１０Ｂ’，１０Ｃ’  宙吊り物品収納容器
１２        開口部
１３        周方向突出部
１５        係合用小凹部
１６        コーナ部
２１        短辺（二辺）
２３        係合用細溝状凹部
【図１】
2019094091.tif 000003
【図２】
2019094091.tif 000004
【図３】
2019094091.tif 000005
【図４】
2019094091.tif 000006
【図５】
2019094091.tif 000007
【図６】
2019094091.tif 000008
【図７】
2019094091.tif 000009
【図８】
2019094091.tif 000010
【図９】
2019094091.tif 000011
【図１０】
2019094091.tif 000012
【図１１】
2019094091.tif 000013
【図１２】
2019094091.tif 000014
【図１３】
2019094091.tif 000015
【図１４】
2019094091.tif 000016